(57)【特許請求の範囲】
【請求項１】
少なくとも、断熱箱体を形成してなる冷蔵室を有し、前記冷蔵室背面のほぼ全面に位置した背面板の後部に冷気循環経路を形成してなる冷蔵庫において、前記背面板の中央全高にわたって縦長のくぼみ部を形成し、そのくぼみ部内に照明手段を設けるとともに、前記背面板の吐出口と、前記くぼみ部を覆う照明カバーの吐出口とをフランジでラップして冷気吐出口を形成したことを特徴とする冷蔵庫。
【請求項２】
背面板のくぼみと、冷蔵庫内箱の間に冷気循環経路を設けたことを特徴とする請求項１記載の冷蔵庫。
【請求項３】
背面板と照明カバーのラップする位置にあって、背面板の冷気循環経路に温度制御手段を備えたことを特徴とする請求項１または２に記載の冷蔵庫。
【請求項４】
背面板と照明カバーを介して冷気吐出口を形成したことにより、照明カバーを冷蔵室背面の半分以上としたことを特徴とする請求項１記載の冷蔵庫。
【請求項５】
背面板のくぼみ形状を、光源の中心から等距離にしたことを特徴とする請求項１記載の冷蔵庫。
【発明の詳細な説明】
【０００１】
【発明の属する技術分野】
本発明は、冷蔵庫に使用する照明装置に関するものである。
【０００２】
【従来の技術】
近年、冷蔵庫の照明装置は冷蔵庫内を照らすだけではなく、デザイン性，明るさ等が要求されるようになってきた。
【０００３】
従来における照明装置としては、特開平６−２１３５５０号公報に示されているものがある。
【０００４】
以下、図５と図６を参照しながら上記従来の、冷蔵庫について説明する。
１は冷蔵室、２は冷凍室または切替室、３は野菜室であり、断熱箱体４の内部に構成されている。５は冷却器であり冷凍室または切替室２の後部に位置している。６はダンパーであり、冷気吐出量を制限するものである。７は背面板であり、冷蔵室１後部のほぼ全面に位置している。８は前記背面板７のくぼみであり、ランプ９と、照明カバー１０が前記背面板７のくぼみ８に取り付けられている。１１は冷気循環経路であり、前記背面板７のくぼみ８の両側にあり、背面板７の吐出口１２から冷蔵室１に冷気が吐出される。１３は温度制御センサであり、背面板７の冷気循環経路１１の一部に設けられている。
【０００５】
以上のように構成された冷蔵庫について、以下その動作を説明する。
冷却器５で形成された冷気は、ダンパー６を通り背面板７の両側の冷気循環経路１１をへて背面板７の吐出口１２から冷蔵室１に冷気が吐出され冷蔵室全体が冷やされる。また庫内の温度上昇を前記温度制御用センサ１３が感知してダンパー６の開閉を制御する。背面板７のくぼみ８にはランプ９と照明カバー１０が取り付けられていて、冷蔵室庫内を照らしている。
【０００６】
【発明が解決しようとする課題】
しかしながら、上記従来の構成は、背面板７の冷気循環経路１１及び冷気吐出口１２と照明カバー１０がそれぞれ、分かれており、冷気循環経路１１及び冷気吐出口１２の面積により、照明カバー１０の大きさが決まっていた。
【０００７】
本発明は従来の課題を解決するもので、冷気循環経路及び冷気吐出口の面積に関係なく照明カバーの大きさを任意に設定できるものを提供することを目的とする。
【０００８】
また、上記従来の構成は、背面板７の冷気循環経路１１の一部に温度制御用センサ１３があり、冷気循環経路の面積をどうしても小さくすることが困難であった。
【０００９】
本発明は温度制御用センサの位置に関係なく冷気循環経路及び冷気吐出口を設定できるものを提供することを目的とする。
【００１０】
また、上記従来の構成は、背面板７の冷気循環経路１１及び冷気吐出口１２と照明カバー１０がそれぞれ、分かれており、照明効果が充分発揮されていなかった。
【００１１】
本発明は照明カバーが任意に設定できるもので、照明効果及び、デザイン性にすぐれたものを提供することを目的とする。
【００１２】
【課題を解決するための手段】
この目的を達成するために本発明は、少なくとも、断熱箱体を形成してなる冷蔵室を有し、前記冷蔵室背面のほぼ全面に位置した背面板の後部に冷気循環経路を形成してなる冷蔵庫において、前記背面板の中央全高にわたって縦長のくぼみ部を形成し、そのくぼみ部内に照明手段を設けるとともに、前記背面板の吐出口と、前記くぼみ部を覆う照明カバーの吐出口とをフランジでラップして冷気吐出口を形成したものである。
【００１３】
これにより、冷気循環経路の面積に関係なく照明カバーの大きさを任意に設定できるとともに冷気の漏れもなく安定した冷気が供給できる。
【００１４】
【発明の実施の形態】
本発明は、少なくとも、断熱箱体を形成してなる冷蔵室を有し、前記冷蔵室背面のほぼ全面に位置した背面板の後部に冷気循環経路を形成してなる冷蔵庫において、前記背面板の中央全高にわたって縦長のくぼみ部を形成し、そのくぼみ部内に照明手段を設けるとともに、前記背面板の吐出口と、前記くぼみ部を覆う照明カバーの吐出口とをフランジでラップして冷気吐出口を形成したものである。
【００１５】
また、さらに、背面板のくぼみと、冷蔵庫内箱の間に冷気循環経路を設けたものである。
【００１６】
それにより、冷気循環経路の面積に関係なく背面板のくぼみすなわち、照明カバーの大きさも任意に設定できる。そして、冷気吐出口の位置がどこにきても、背面板と、照明カバーを介して冷気吐出口を形成しているため、照明カバーの大きさが任意の大きさにでき安定した照明装置が提供できる。
【００１７】
また、背面板と照明カバーのラップする位置にあって、背面板の冷気循環経路に温度制御手段を備えて構成したものである。
【００１８】
それにより、冷気循環経路の面積及び、温度制御センサのスペースに関係なく照明カバーの大きさが任意にできると共に照明カバーを冷蔵室背面の半分以上としたものである。
【００１９】
また、背面板のくぼみ形状を、光源の中心から等距離にしたものであり。
照明カバーが大きくなるにつれて、庫内を均一にてらすことができる。
【００２０】
【実施例】
以下、本発明による冷蔵庫の実施例について、図面を参照しながら説明する。なお、従来と同一構成については、同一符号を付して詳細な説明を省略する。
【００２１】
（実施例１）
図１は、本発明の実施例１による冷蔵庫正面図である。図２は同実施例の図１のＡ−Ａ断面図である。図３は同実施例の図１のＢ−Ｂ断面図である。
【００２２】
図１，図２，図３において１は冷蔵室、２は冷凍室または切替室、３は野菜室であり、断熱箱体４の内部に構成されている。５は冷却器であり冷凍室または切替室２の後部に位置している。６はダンパーであり、冷気吐出量を制限するものである。１４は背面板であり、冷蔵室１後部のほぼ全面に位置している。１５は前記背面板１４のくぼみであり、ランプ１６と、照明カバー１７が前記背面板１４のくぼみ１５に取り付けられている。１８は冷気循環経路であり、前記背面板１４の両側及び、前記背面板１４のくぼみ１５の後部にある。１９は前記背面板１４の吐出口であり、前記照明カバー１７の吐出口２０とフランジ１９ａでラップされている。
【００２３】
以上のように構成された冷蔵庫について、以下その動作を説明する。
冷却器５で形成された冷気は、ダンパー６を通り背面板１４両側及び、前記背面板１４のくぼみ１５の後部の冷気循環経路１８をへて背面板１４の吐出口１９を介して照明カバー１７の吐出口２０から冷蔵室１に冷気が吐出され冷蔵室１全体が冷やされる。また、背面板１４のくぼみ１５にはランプ１６と、照明カバー１７が取り付けられており、冷蔵室１内全体を照らしている。
【００２４】
以上のように本実施例の冷蔵庫の照明装置は、背面板１４の吐出口１９を介して照明カバー１７の吐出口２０から冷蔵室１に冷気が吐出されるため、照明カバー１７の大きさに関係なく任意に吐出口１９，２０の位置を設定でき、冷蔵室１をムラなく冷却することができる。また吐出口１９，２０の位置に関係なく、任意に照明カバー１７の大きさが設定でき庫内の明るさ、デザイン性にすぐれた照明カバー１７を形成することができる。さらに、背面板１４の吐出口１９と、照明カバー１７の吐出口２０が背面板１４の吐出口１９のフランジ１９ａでラップされているため、冷気の漏れもなく安定した冷気が供給できる。
【００２５】
（実施例２）
図２において、１８は冷気循環経路であり、前記背面板１４の両側及び、前記背面板１４のくぼみ１５の後部と内箱２１の間で形成されている。
【００２６】
従来は、背面板１４の両側のみに冷気循環経路１８があり、庫内の温度分布により冷気循環経路面積が優先され、照明カバー１７の大きさが自然と限定されてきた。
【００２７】
本実施例は、背面板１４のくぼみ１５の後部と内箱２１の間にも冷気循環経路１８があるため、照明カバー１７の大きさに関係なく、冷気循環経路面積が確保できる。また、背面板１４のくぼみ１５に照明カバー１７が取り付けられているため、照明カバー１７の大きさが任意に設定でき庫内の明るさ、デザイン性にすぐれた照明カバー１７を形成することができる。
【００２８】
（実施例３）
図２において、２２は温度制御用センサであり、背面板１４の冷気循環経路１８の一部に設けられている。２３は発泡スチロールの断熱材であり、前記温度制御用センサを冷気循環経路１８側からおおい断熱している。また図１において照明カバー１７に前記温度制御用センサ２２取り付け部に庫内側から穴１７ａがあけられている。
【００２９】
庫内の温度上昇を前記照明カバーの穴１７ａから前記温度制御用センサ２２が感知してダンパー６の開閉を制御することにより庫内温度を一定に確保することができる。
【００３０】
本実施例は、照明カバーの穴１７ａから温度制御用センサ２２を感知することができるため、照明カバー１７の大きさが任意にできる。また前記温度制御用センサ２２は背面板１４の冷気循環経路１８の一部に設けられているため、冷気循環経路１８を塞ぐことなく冷気循環経路面積を確保でき、安定した冷気が供給できる。
【００３１】
（実施例４）
図２において、１８は冷気循環経路であり、前記背面板１４の両側及び、前記背面板１４のくぼみ１５の後部と内箱２１の間で形成されている。
【００３２】
従来は、背面板１４の両側のみに冷気循環経路１８があり、庫内の温度分布により冷気循環経路面積が優先され、照明カバー１７の大きさが自然と限定されてきた。
【００３３】
本実施例は、背面板１４のくぼみ１５の後部と内箱２１の間にも冷気循環経路１８があるため、照明カバー１７の大きさに関係なく、冷気循環経路面積が確保できる。また、背面板１４のくぼみ１５に照明カバー１７が取り付けられているため、照明カバー１７の大きさが背面Ｈの１／２Ｈ以上確保可能となった。
【００３４】
（実施例５）
図４は、同実施例の図１のＣ部詳細図である。
【００３５】
図４において、ランプ１６から背面板１４のくぼみ１５の距離Ｘを等距離にすることにより、光源を均一に庫内に照らすことができ庫内食品の取り出し性、及びデザイン性にすぐれた照明装置が提供できる。
【００３６】
【発明の効果】
以上説明したように本発明は、背面板の中央全高にわたって縦長のくぼみ部を形成し、そのくぼみ部内に照明手段を設けるとともに、前記背面板の吐出口と、前記くぼみ部を覆う照明カバーの吐出口とをフランジでラップして形成した冷気吐出口から冷蔵室に冷気が吐出されるため、照明カバーの大きさに関係なく任意に吐出口の位置を設定でき、冷蔵室をムラなく冷却することができる。また吐出口の位置に関係なく、任意に照明カバーの大きさが設定でき庫内の明るさ、デザイン性にすぐれた照明カバーを形成することができる。さらに、背面板の吐出口と、照明カバーの吐出口が背面板の吐出口のフランジでラップされているため、冷気の漏れもなく安定した冷気が供給できる。
【００３７】
また、さらに背面板のくぼみの後部と内箱の間にも冷気循環経路があるため、照明カバーの大きさに関係なく、冷気循環経路面積が確保できる。また、背面板のくぼみに照明カバーが取り付けられているため、照明カバーの大きさが任意に設定でき庫内の明るさ、デザイン性にすぐれた照明カバーを形成することができる。
【００３８】
また、照明カバーの穴から温度制御用センサを感知することができるため、照明カバーの大きさが任意にできる。また前記温度制御用センサは背面板の冷気循環経路の一部に設けられているため、冷気循環経路を塞ぐことなく冷気循環経路面積を確保でき、安定した冷気が供給できる。
【００３９】
さらに、背面板のくぼみの後部と内箱の間にも冷気循環経路があるため、照明カバーの大きさに関係なく、冷気循環経路面積が確保できる。また、背面板のくぼみに照明カバーが取り付けられているため、照明カバーの大きさが背面Ｈの１／２Ｈ以上確保可能となった。
【００４０】
また、ランプから背面板のくぼみの距離Ｘを等距離にすることにより、光源を均一に庫内に照らすことができ庫内食品の取り出し性、及びデザイン性にすぐれた照明装置が提供できる。
【図面の簡単な説明】
【図１】本発明の実施例を示す冷蔵庫の正面図
【図２】本発明の実施例における図１のＡ−Ａ断面図
【図３】本発明の実施例における図１のＢ−Ｂ断面図
【図４】本発明の実施例における図１のＣ部詳細図
【図５】従来例を示す冷蔵庫の正面図
【図６】従来例を示す図５のＤ−Ｄ断面図
【符号の説明】
１  冷蔵室
２  切替室及び冷凍室
３  野菜室
４  断熱箱体
５  冷却器
１４  背面板
１５  背面板のくぼみ
１６  ランプ
１７  照明カバー
１８  冷気循環経路
１９  背面板の吐出口
２０  照明カバーの吐出口
２１  内箱
２２  温度制御用センサ
【図１】
0004027468.tif 000002
【図２】
0004027468.tif 000003
【図３】
0004027468.tif 000004
【図４】
0004027468.tif 000005
【図５】
0004027468.tif 000006
【図６】
0004027468.tif 000007